(57)【要約】【課題】マルチ表示システムにおいて分割画像と表示端末との対応付けに要する作業を簡単にする。【解決手段】複数の表示端末と、ネットワークを介して該複数の表示端末へ部分画像を配信する配信装置とを有する配信システムであって、配信装置は、複数の表示端末の各々について、当該表示端末において表示される部分画像が表示対象の画像において占める位置を特定する位置情報を含む、ネットワーク識別子を取得する取得手段と、表示対象の画像を複数の部分画像に分割する分割手段と、ネットワーク識別子により識別される複数の表示端末の各々へ、当該ネットワーク識別子に含まれる位置情報に基づき対応する部分画像を送出する通信手段とを備える。【選択図】  図１
2016134856.tif 000002
【特許請求の範囲】
【請求項１】
複数の表示端末と、ネットワークを介して該複数の表示端末へ部分画像を配信する配信装置とを有する配信システムであって、
前記配信装置は、
前記複数の表示端末の各々について、当該表示端末において表示される部分画像が表示対象の画像において占める位置を特定する位置情報を含む、ネットワーク識別子を取得する取得手段と、
前記表示対象の画像を複数の部分画像に分割する分割手段と、
前記ネットワーク識別子により識別される前記複数の表示端末の各々へ、当該ネットワーク識別子に含まれる前記位置情報に基づき対応する部分画像を送出する通信手段と
を備えることを特徴とする配信システム。
【請求項２】
ネットワークを介して複数の表示端末へ部分画像を配信して全体で一つの画像を表示させる配信装置であって、
前記複数の表示端末の各々について、当該表示端末において表示される部分画像が表示対象の画像において占める位置を特定する位置情報を含む、ネットワーク識別子を取得する取得手段と、
前記表示対象の画像を複数の部分画像に分割する分割手段と、
前記ネットワーク識別子により識別される前記複数の表示端末の各々へ、当該ネットワーク識別子に含まれる前記位置情報に基づき対応する部分画像を送出する通信手段と
を備えることを特徴とする配信装置。
【請求項３】
前記通信手段は、
前記ネットワーク識別子の各々について、当該ネットワーク識別子に含まれる前記位置情報に基づき前記表示端末に配信すべき部分画像を決定し、
前記ネットワーク識別子により識別される前記複数の表示端末の各々と前記ネットワークを介して接続し、
前記複数の表示端末の各々に対して、前記決定された部分画像を送出する
ことを特徴とする請求項２に記載の配信装置。
【請求項４】
前記ネットワーク識別子は、前記表示対象の画像の分割を規定する分割パラメータを更に含み、
前記分割手段は、前記分割パラメータに基づき前記表示対象の画像を前記複数の部分画像に分割する
ことを特徴とする請求項２又は３に記載の配信装置。
【請求項５】
前記分割パラメータには、前記表示対象の画像からの切り出し座標と、前記表示対象の画像から切り出した画像の線形変換情報とが含まれることを特徴とする請求項４に記載の配信装置。
【請求項６】
前記ネットワーク識別子は、サービスセット識別子であることを特徴とする請求項２から５のいずれか１項に記載の配信装置。
【請求項７】
前記取得手段は、前記複数の表示端末の各々から、当該表示端末の前記ネットワーク識別子を受信して取得することを特徴とする請求項１から６のいずれか１項に記載の配信装置。
【請求項８】
配信装置がネットワークを介して複数の表示端末へ部分画像を配信して全体で一つの画像を表示させる配信システムにおける表示端末であって、
前記複数の表示端末における当該表示端末の位置を示す位置情報を含むネットワーク識別子を生成する生成手段と、
前記ネットワーク識別子を前記配信装置へ送出する通信手段と
を備えることを特徴とする表示端末。
【請求項９】
前記生成手段は、表示対象の画像の分割を規定する分割パラメータを含むネットワーク識別子を生成することを特徴とする請求項８に記載の表示端末。
【請求項１０】
ネットワークを介して複数の表示端末へ部分画像を配信する配信装置の制御方法であって、
取得手段が、前記複数の表示端末の各々について、当該表示端末において表示される部分画像が表示対象の画像において占める位置を特定する位置情報を含む、ネットワーク識別子を取得する取得工程と、
分割手段が、前記表示対象の画像を複数の部分画像に分割する分割工程と、
通信手段が、前記ネットワーク識別子により識別される前記複数の表示端末の各々へ、当該ネットワーク識別子に含まれる前記位置情報に基づき対応する部分画像を送出する送出工程と
を備えることを特徴とする配信装置の制御方法。
【請求項１１】
配信装置がネットワークを介して複数の表示端末へ部分画像を配信して全体で一つの画像を表示させる配信システムにおける表示端末の制御方法であって、
生成手段が、前記複数の表示端末における当該表示端末の位置を示す位置情報を含むネットワーク識別子を生成する生成工程と、
通信手段が、前記ネットワーク識別子を前記配信装置へ送出する送出工程と
を備えることを特徴とする表示端末の制御方法。
【請求項１２】
コンピュータを、請求項１から７のいずれか１項に記載の配信装置、又は、請求項８又は９に記載の表示端末が備える各手段として機能させるためのコンピュータプログラム。
【発明の詳細な説明】
【技術分野】
【０００１】
本発明は配信システム、配信装置及びその制御方法、表示端末及びその制御方法、コンピュータプログラムに関し、特に、画像を複数の表示端末へ配信する技術に関する。
【背景技術】
【０００２】
マルチプロジェクションなどの用途の広がりに応じて、映像を配信する装置が複数の表示端末に対して映像を同時にあるいは選択的に配信する機能を要求されてきている。このような要求の高まりに応じて、映像配信装置は、配信先である表示端末を適切かつ確実に選択する能力を求められている。
【０００３】
特許文献１には、表示端末（表示装置）が自身を識別するための固有画像を決定し、その固有画像に関する情報を識別子に埋め込んで配信装置（端末装置）へ送信すると共に、固有画像を自身で表示する構成が記載されている。配信装置は、複数の表示端末から受け取った識別子を解析して固有画像を生成し、一覧を作成してＵＩ（ユーザインタフェース）表示する。そして、ユーザは表示端末が表示している固有画像と一致した対象を配信装置においてＵＩ表示された一覧から選択することで、所望の表示端末との接続を行う。
【０００４】
また、特許文献２には、配信装置（通信制御装置）と表示端末（画像生成装置）がお互いにＭＡＣアドレスを交換し、それらの組み合わせで定まるサービスセット識別子（ＳＳＩＤ）とＷＥＰキーを生成して、共有する構成が記載されている。配信装置は、これらのＳＳＩＤとＷＥＰキーを用いて通信を行うことで、通信相手を選択する。ここで、ＭＡＣはMedia Access Controlの略称であり、ＳＳＩＤはService Set Identifierの略称である。ＷＥＰは、Wired Equivalent Privacyの略称である。
【先行技術文献】
【特許文献】
【０００５】
【特許文献１】特開２０１２−２２６７３７号公報
【特許文献２】特開２００８−１０９５９２号公報
【発明の概要】
【発明が解決しようとする課題】
【０００６】
特許文献１の構成では、表示端末と配信装置が表示端末固有の画像をお互いに表示し、ユーザが、表示された画像を参照して画像の配信先となる表示端末を選択することで、所望の接続を行うことになる。しかし、複数の表示端末が存在するマルチ表示系では全ての表示端末に対してこの操作を繰り返す必要があり、作業が煩雑であるという課題がある。
【０００７】
特許文献２の構成では、接続に先だって全ての表示端末に配信装置のＭＡＣアドレスを入力しておくことと、更に配信装置には表示端末のＭＡＣアドレスを入力しておくことが必要である。さらに、画像の配信先を複数の表示端末により構成した場合、各表示端末とＭＡＣアドレスとの対応付けは、表示端末の配置に応じて手動により行わなければならない。したがって、複数の表示端末が存在し、これらを同時に行わなければならないマルチ表示系では設定が煩雑であるという課題がある。
【０００８】
本発明は上記課題に鑑みなされたものであり、マルチ表示システムにおいて分割画像と表示端末との対応付けに要する作業を簡単にすることを目的とする。
【課題を解決するための手段】
【０００９】
上記目的を達成するため、本発明による配信システムは以下の構成を備える。即ち、
複数の表示端末と、ネットワークを介して該複数の表示端末へ部分画像を配信する配信装置とを有する配信システムであって、
前記配信装置は、
前記複数の表示端末の各々について、当該表示端末において表示される部分画像が表示対象の画像において占める位置を特定する位置情報を含む、ネットワーク識別子を取得する取得手段と、
前記表示対象の画像を複数の部分画像に分割する分割手段と、
前記ネットワーク識別子により識別される前記複数の表示端末の各々へ、当該ネットワーク識別子に含まれる前記位置情報に基づき対応する部分画像を送出する通信手段と
を備えることを特徴とする配信システム。
【発明の効果】
【００１０】
本発明によれば、マルチ表示システムにおいて分割画像と表示端末との対応付けに要する作業を簡単にすることができる。
【図面の簡単な説明】
【００１１】
【図１】映像表示システムの機能構成例を表わすブロック図である。
【図２】映像配信装置のハードウェア構成例を示すブロック図である。
【図３】表示端末のハードウェア構成例を示すブロック図である。
【図４】全体動作の処理手順を表わすフローチャートである。
【図５】マルチ表示系の表示分割の一例を模式的に示す図である。
【図６】表示端末の設置処理の詳細を表わすフローチャートである。
【図７】表示端末側無線ＬＡＮの設定処理を表わすフローチャートである。
【図８】映像配信装置の映像配置設定処理を表わすフローチャートである。
【図９】映像配信装置とマルチ表示システムとの接続処理を表わすフローチャートである。
【図１０】映像分割部とサーバ側無線ＬＡＮ通信部の内部構成例を表わすブロック図である。
【図１１】映像配信処理の詳細な処理手順を表わすフローチャートである。
【図１２】映像分割部の内部構成例を表わすブロック図である。
【図１３】映像表示システムの機能構成例を表わすブロック図である。
【図１４】サーバ側無線ＬＡＮ通信部の内部構成例を表わすブロック図である。
【図１５】表示端末側無線ＬＡＮの設定処理を表わすフローチャートである。
【図１６】識別子生成過程の一例を模式的に表わす図である。
【図１７】映像配信装置とマルチ表示システムとの接続処理を表わすフローチャートである。
【発明を実施するための形態】
【００１２】
以下、添付図面を参照して本発明の実施の形態を詳細に説明する。
【００１３】
＜＜実施形態１＞＞
（映像表示システム）
本発明の一実施形態（実施形態１）に係る映像表示システム（配信システム）（実施形態１）について説明する。図１は本実施形態に係る映像表示システムの機能構成を表すブロック図である。同図において、１００は映像配信装置（配信装置）であり、任意の映像ソース１１０を処理して複数の映像（部分画像）に分割して配信する。１２０はマルチ表示システムであり、映像配信装置１００がネットワークを介して配信した複数の映像を複数の表示端末により表示して、全体で一つの映像を表示する。
【００１４】
映像配信装置１００は次の構成を持つ。１０１はネットワーク識別子保持部であり、マルチ表示システム１２０における表示画面配置の種類に応じて、画面を構成する象限それぞれの配置と対応したユニークなネットワーク識別子を保持する。１０２は無線ＬＡＮ接続制御部であり、ネットワーク識別子保持部１０１からネットワーク識別子を取得して、そのネットワーク識別子に対応した相手との通信確立を制御する。また、無線ＬＡＮ接続制御部１０２は、ネットワーク識別子と対応した映像分割パラメータを生成する。１０３はサーバ側無線ＬＡＮ通信部であり、無線ＬＡＮ接続制御部１０２の制御のもと、指定された無線ＬＡＮパラメータに従って通信相手との接続を確立し、通信を維持する。１０４は映像分割部であり、無線ＬＡＮ接続制御部１０２から取得した映像分割パラメータに従って映像ソース１１０を分割し、サーバ側無線ＬＡＮ通信部１０３を介して配信する。
【００１５】
マルチ表示システム１２０は次の構成を持つ。１３０は表示端末であり、映像配信装置１００から配信された分割映像の一つを表示する。したがって、マルチ表示システム１２０は、表示画面配置の種類に応じて定まる象限数と等しい数の表示端末１３０をその内部に備える。なお、本実施形態では、全ての表示端末１３０が等しい構成を持つとして同じ符号を用いる。また、担当する表示象限の違いは符号に付加したａ，ｂ等のアルファベットで表す。
【００１６】
表示端末１３０はそれぞれ次の構成を持つ。１３２はネットワーク識別子設定部であり、担当する表示象限に対応したネットワーク識別子を設定する。１３１は端末側無線ＬＡＮ通信部であり、ネットワーク識別子設定部１３２が設定したネットワーク識別子を用いて無線ＬＡＮ接続を確立して維持するアクセスポイントとして振舞う。１３３は表示部であり、映像配信装置１００から配信された分割映像を、端末側無線ＬＡＮ通信部１３１から受け取って表示する。
【００１７】
本実施形態では、各表示端末のネットワーク識別子が画面を構成する象限（表示位置）に対応しており、映像配信装置は、表示映像を象限毎に分割して、対応するネットワーク識別子を宛先として送信する。このため、映像配信装置は、象限と表示端末との対応付けをすることなく、適切・確実に分割映像を対応する表示端末に表示させることができる。なお、本実施形態では、マルチ表示システム１２０へ、映像、すなわち、動画像を配信して表示させる例を説明するが、表示対象の画像は映像に限られず、静止画でもよい。
【００１８】
（映像配信装置）
図２は、映像配信装置１００のハードウェア構成例を示すブロック図である。映像配信装置１００は、例えば、パーソナルコンピュータ（ＰＣ）や組込みシステム、タブレット端末、スマートフォン等により実現される。
【００１９】
図２において、ＣＰＵ９８０は中央演算処理装置であり、オペレーティングシステム（ＯＳ）やアプリケーションプログラム等に基づいて他の構成要素と協働し、映像配信装置１００全体の動作を制御する。ＲＯＭ９８１は読出し専用メモリであり、基本Ｉ／Ｏプログラム等のコンピュータプログラム、基本処理に使用するデータ等を記憶する。ＲＡＭ９８２は書込み可能メモリであり、ＣＰＵ９８０のワークエリア等として機能する。
【００２０】
ストレージ９８３は大容量メモリとして機能する装置であり、本実施形態ではハードディスク装置（以下、ＨＤと呼ぶ）を用いている。ストレージ９８３には、ＯＳ、アプリケーションプログラム等が格納される。ストレージ９８３はＳＳＤ（ソリッドステートドライブ）等の他の装置により実現することもできる。
【００２１】
指示入力装置９８４はユーザからの指示やコマンドの入力を受け付ける装置であり、キーボードやポインティングデバイス、タッチパネル等がこれに相当する。ディスプレイ９８５は、指示入力装置９８４から入力されたコマンドや、それに対する映像配信装置１００の応答出力等を表示したりする表示装置である。ディスプレイ９８５は、マルチ表示システム１２０の一部の表示部１３３により実現してもよい。通信インターフェイス（Ｉ／Ｆ）９８６は表示端末１３０等の外部装置とのデータのやり取りを中継する装置である。本実施形態では、表示端末１３０と無線ＬＡＮにより通信するが、有線ケーブルを用いた任意の有線通信方式や、あるいは、Ｂｌｕｅｔｏｏｔｈ（登録商標）等の他の無線通信方式を用いても構わない。システムバス９８７は、映像配信装置１００内のデータの流れを司るデータバスである。なお、以上の各装置と同等の機能を実現するソフトウェアにより、ハードウェア装置の代替として構成することもできる。
【００２２】
（表示端末）
図３は、表示端末１３０のハードウェア構成例を示すブロック図である。表示端末１３０は、無線通信機能を備えたディスプレイ装置により実現される。
【００２３】
図３において、ＣＰＵ９９０は中央演算処理装置であり、オペレーティングシステム（ＯＳ）等のコンピュータプログラムに基づいて他の構成要素と協働し、表示端末１３０全体の動作を制御する。ＲＯＭ９９１は読出し専用メモリであり、基本Ｉ／Ｏプログラム等のコンピュータプログラム、基本処理に使用するデータ等を記憶する。ＲＡＭ９９２は書込み可能メモリであり、ＣＰＵ９９０のワークエリア等として機能する。
【００２４】
ディスプレイ９９３は、映像配信装置１００から配信された画像や、表示端末１３０のＯＳに基づくディスプレイ９９３の初期設定画面等を表示する表示装置である。ディスプレイ９９３は、プロジェクタ、液晶モニタ、有機ＥＬディスプレイ等の表示装置により実現される。通信インターフェイス（Ｉ／Ｆ）９９４は映像配信装置１００等の外部装置とのデータのやり取りを中継する装置である。本実施形態では、表示端末１３０と無線ＬＡＮにより通信するが、映像配信装置１００が用いる通信方式と同一の他の通信方式を用いても構わない。システムバス９９５は、表示端末１３０内のデータの流れを司るデータバスである。なお、以上の各装置と同等の機能を実現するソフトウェアにより、ハードウェア装置の代替として構成することもできる。
【００２５】
（全体動作）
次に、本実施形態の動作について説明する。最初に全体動作について概略を説明した後、詳細動作を説明する。図４は本実施形態の全体動作を表すフローチャートである。図４のＳ２０１、Ｓ２０２は表示端末１３０のＣＰＵ９９０の制御に基づき実行され、Ｓ２０３、Ｓ２０５は映像配信装置１００のＣＰＵ９８０の制御に基づき実行される。Ｓ２０４は、映像配信装置１００のＣＰＵ９８０および表示端末１３０のＣＰＵ９９０の制御に基づいて実行される。
【００２６】
Ｓ２０１では、マルチ表示システム１２０内の各表示端末１３０の設置を行う。これは、各表示端末１３０が所望の表示位置に映像を表示できるようにするための初期設定に関する処理であり表示端末１３０の特性に応じて種々の方法が存在する。例えば、プロジェクタを用いたマルチプロジェクションでは各表示端末１３０の映像境界が視認困難となるような調整を行う。
【００２７】
次に、Ｓ２０２では、各表示端末１３０がそれぞれ持っている端末側無線ＬＡＮ通信部１３１の設定を行う。ここでの処理は、その表示端末１３０が表示を担う象限に対応したネットワーク識別子を、端末側無線ＬＡＮ通信部１３１に設定することである。ここでネットワーク識別子として、例えばＳＳＩＤ（サービスセット識別子）を用いることが可能である。
【００２８】
次に、Ｓ２０３では、ネットワーク識別子保持部１０１に対して映像配置状態を設定する。ここに映像配置状態とは、マルチ表示システム１２０へ送信される映像の分割表示ポリシであり、例えば、図５に示すような定義となる。図５（Ａ）において、３００は、全画面を３０１、３０２の横方向（左右）に２分割した場合である。また、図５（Ｂ）の３１０は、全画面を３１１〜３１４の縦横方向に４分割した場合を表わす。このように、映像配置状態とは、２分割状態、４分割状態といった、映像をどのように分割して表示するかを定義するポリシである。なお、後述するように、Ａ１、Ａ２、Ｂ１〜Ｂ４は、分割領域（象限）に対応するネットワーク識別子である。
【００２９】
再び、図４に戻って全体動作の説明を続ける。Ｓ２０４では、映像配信装置１００とマルチ表示システム１２０の接続処理を行う。この処理は、無線ＬＡＮ接続制御部１０２の制御のもとで、サーバ側無線ＬＡＮ通信部１０３と複数の端末側無線ＬＡＮ通信部１３１とのコネクションを確立するものである。
【００３０】
最後にＳ２０５では、映像の配信処理を行う。この処理は、図２の指示入力装置９８４等のユーザＩＦを介した、映像配信装置１００に対するユーザ指示により開始する。任意の映像ソース１１０を映像分割部１０４でフレームごとに分割し、サーバ側無線ＬＡＮ通信部１０３を介して表示端末１３０へ配信して表示させるする処理を連続して行う。
【００３１】
上記のように、本実施形態では、映像の配信を、分割領域に対応するネットワーク識別子により識別される表示端末１３０へ向けて行うため、繁雑な作業をすることなく、表示端末と分割領域との対応付けを行うことが可能となる。
【００３２】
（Ｓ２０１：表示端末の設置）
以下、各ステップの処理の詳細を説明する。まず、Ｓ２０１における表示端末１３０の設置処理について説明する。前述の設置処理は表示端末１３０の特性に応じて様々な手法が存在するので、表示端末１３０の特性や用途に応じて任意の手法を適宜選択することができる。ここで説明する処理はあくまでも一例であり、これに限定するものではない。
【００３３】
図６は、Ｓ２０１における表示端末の設置処理の一例を表わすフローチャートである。同図において、Ｓ４０１では全ての表示端末１３０に対して、調整用に用意された既定の画像を表示させる。次に、Ｓ４０２からＳ４０５のループにより、各表示端末１３０に対してＳ４０３、Ｓ４０４の処理を適用して、複数の表示端末１３０の設置調整を行う。
【００３４】
Ｓ４０３では着目した表示端末１３０の設置位置を調整し、Ｓ４０４で設置位置が適切であるか判定する。着目した表示端末１３０の設置位置が適切でないとき（Ｓ４０４でＮＯ）はＳ４０３へ戻って、再度、位置調整を行う。このような処理を繰り返して設置位置が適切であると判定されたとき（Ｓ４０４でＹＥＳ）は、他の表示端末１３０に対して同様の処理を行う（Ｓ４０５、Ｓ４０２）。これらの処理を全ての表示端末１３０に対して行うことで、処理が完了する。なお、Ｓ２０１の処理を行うことで、図５に例示した映像配置状態が確定する。
【００３５】
（Ｓ２０２：表示端末側無線ＬＡＮの設定）
次に、Ｓ２０２における表示端末側無線ＬＡＮの設定処理について説明する。図７はＳ２０２における処理を表わすフローチャートである。Ｓ５０１からＳ５０４のループは、マルチ表示システム１２０を構成する全ての表示端末１３０に対して適用される。
【００３６】
Ｓ５０２では、設定対象となっている表示端末１３０の表示担当象限に対応した識別子を選択し、ネットワーク識別子設定部１３２へ入力する。例えば、表示端末１３０ａ及び１３０ｂが、それぞれ図５における象限３０１及び３０２の表示を担っているとする。この場合、３０１及び３０２を表わす識別子をそれぞれＡ１及びＡ２とすると、ネットワーク識別子設定部１３２ａから入力する識別子はＡ１であり、１３２ｂから入力する識別子はＡ２となる。
【００３７】
なお、各表示端末がどの象限の表示を担うかは、表示端末１３０の間で互いの位置を把握するための通信を行って自動判定することができる。例えば、各表示端末１３０の縁部に赤外線センサを設け、赤外線センサ同士で通信することにより、マルチ表示システム１２０全体における相対的な位置を把握し、担当する象限を判定することができる。あるいは、各表示端末１３０に象限を入力するための指示入力装置（ボタン、スイッチ等）を設け、この指示入力装置を介して操作者が象限を設定するようにしてもよい。
【００３８】
次に、Ｓ５０３では、Ｓ５０２で入力した識別子を、ネットワーク識別子設定部１３２が端末側無線ＬＡＮ通信部１３１へネットワーク識別子として送信し、記憶する。これらの処理を全ての表示端末１３０に対して行うことでＳ２０２の処理が完了する。
【００３９】
（Ｓ２０３：映像配置設定）
次に、Ｓ２０３における映像配置設定について説明する。図８はＳ２０３における処理を表わすフローチャートである。
【００４０】
Ｓ６０１ではネットワーク識別子保持部１０１が、ディスプレイ９８５等のＵＩを用いて映像配置形態の候補を提示する。この映像配置形態とは、映像配信装置１００において、映像をどのように分割して各表示端末１３０に配信し、表示させるかを定義するポリシである。例えば選択肢が図５の３００または３１０であるならば、これらの分割図をＵＩに表示し、ユーザに選択を促す。次に、Ｓ６０２ではユーザがＵＩに表示された選択肢から所望の配置形態を選択して入力する。最後に、入力された映像配置形態をＳ６０３においてネットワーク識別子保持部１０１が記憶する。以上で、Ｓ２０３における処理を完了する。
【００４１】
なお、ここではネットワーク識別子保持部１０１がＵＩを用いて候補を表示してユーザが選択する手法を説明したが、映像配置形態の選択方法には任意の手法を用いることが可能である。したがって、映像配置の設定は、ここで例示した手法に限定されない。例えば、映像配置状態を示す情報をマルチ表示システム１２０から受信し、この映像配置状態に対応する映像配置形態を設定するようにしてもよい。あるいは、映像配置形態を示す情報を予めストレージ９８３等の記憶装置に保持しておき、この情報を読み出して映像配置形態を設定するようにしてもよい。。
【００４２】
（Ｓ２０４：映像配信装置とマルチ表示システムの接続）
次に、Ｓ２０４における映像配信装置１００とマルチ表示システム１２０の接続処理について説明する。図９は、Ｓ２０４における処理を表わすフローチャートである。また、図１０は、映像分割部１０４及びサーバ側無線ＬＡＮ通信部１０３の内部構成例を示すブロック図である。ここでは、図９のフローチャートに従って動作を説明しながら、適宜、図１０のブロック図を参照する。図９の各ステップにおいて、特に明示しない限り、処理の主体は、ＣＰＵ９８０の制御に基づき動作する無線ＬＡＮ接続制御部１０２である。
【００４３】
まず、Ｓ７０１において、マルチ表示システム１２０を構成する全ての表示端末１３０を通信状態にする。具体的には、各端末側無線ＬＡＮ通信部１３１をアクティブにし、Ｓ２０２において設定されたネットワーク識別子を持ったアクセスポイントとして通信接続待機状態にする。Ｓ７０２では、Ｓ２０３において設定された映像配置形態を、ネットワーク識別子保持部１０１が無線ＬＡＮ接続制御部１０２へ伝える。例えば、設定された映像配置形態が図５における４分割配置３１０であるときは、４分割配置状態であることが伝えられる。
【００４４】
Ｓ７０３からＳ７１０で構成されるループでは、全ての表示象限について、対応する表示端末１３０と映像配信装置１００との間で通信接続処理を行う。Ｓ７０４において、無線ＬＡＮ接続制御部１０２は、これから接続を行う表示端末１３０の担当象限を選択する。選択の順番は任意であるが、例えば図５の象限３１１から象限３１４の順番で選択する。次に、Ｓ７０５では、選択した象限と対応したネットワーク識別子Ｘｎを決定する。具体的には、無線ＬＡＮ接続制御部１０２がネットワーク識別子保持部１０１に問い合わせてネットワーク識別子Ｘｎを取得する。例えば、図５の象限３１１の識別子を問い合わせると、Ｂ１という値を得る。
【００４５】
Ｓ７０６では、無線ＬＡＮ接続制御部１０２の制御の下で、サーバ側無線ＬＡＮ通信部１０３がネットワーク識別子Ｘｎを持つ表示端末１３０と通信確立するための処理を行う。ここに無線ＬＡＮ接続制御部１０２は、図１０に示した内部構成を持ったサーバ側無線ＬＡＮ通信部１０３と接続されている。サーバ側無線ＬＡＮ通信部１０３は、例えば無線ＬＡＮ端末８１０ａ〜８１０ｎを更に含み、これらの無線ＬＡＮ端末８１０は無線ＬＡＮアンテナにより構成することができ、ネットワーク識別子Ｘｎを持った表示端末１３０との通信を一対一で行う。なお、無線ＬＡＮ端末８１０は、物理的に複数のハードウェアが存在して並列動作する構成を有するが、単一のハードウェアにおいて複数の動作を時分割で並列に行い、論理的に複数の無線ＬＡＮ端末が存在するような構成としてもよい。無線ＬＡＮ接続制御部１０２は、ある一つの無線ＬＡＮ端末８１０ａを選択してネットワーク識別子Ｘｎを設定し、通信確立処理を開始する。
【００４６】
次に、Ｓ７０７では、無線ＬＡＮ端末８１０ａが、ネットワーク識別子Ｘｎを持った端末側無線ＬＡＮ通信部１３１ａとの通信接続を確立する。具体的には無線ＬＡＮプロトコルに沿ってネットワーク識別子Ｘｎを持ったアクセスポイントを探索し、通信を確立する。次に、Ｓ７０８において、無線ＬＡＮ接続制御部１０２は、ネットワーク識別子Ｘｎと対応した象限に映像を表示するための分割パラメータを決定する。例えば、図５の象限３１１から象限３１４のそれぞれに対して、入力映像のトリミング指定位置とアフィン変換行列とのペアをパラメータとして決定する。
【００４７】
次に、Ｓ７０９では、Ｓ７０８で求めた映像分割パラメータを映像分割部１０４に設定する。ここに無線ＬＡＮ接続制御部１０２は、図１０に示した内部構成を持った映像分割部１０４と接続されている。映像分割部１０４は、例えば映像処理部８０１ａ〜８０１ｎを更に含み、これらの映像処理部は各象限への出力画像処理を一対一で行う。映像処理部８０１は、物理的に複数のハードウェアが存在して並列動作する構成を有するが、単一のハードウェアにおいて複数の動作を時分割で並列に行い、論理的に複数の無線ＬＡＮ端末が存在するような構成としてもよい。無線ＬＡＮ接続制御部１０２は、Ｓ７０６において選択した無線ＬＡＮ端末８１０ａと論理的に接続された映像処理部８０１ａに対して映像分割パラメータを設定する。以上、Ｓ７０４からＳ７０９の処理を全ての表示象限に対して行うことでＳ２０４の処理を完了する。
【００４８】
（Ｓ２０５：映像配信処理）
次に、Ｓ２０５における映像配信処理について説明する。Ｓ２０５では、映像配信装置１００が、映像を分割して各表示端末１３０に送信して表示させる処理を行う。図１１は、Ｓ２０５における処理を表すフローチャートである。Ｓ９０１において、映像分割部１０４が入力された映像ソース１１０をキャプチャする。このキャプチャ処理は映像分割部１０４が図１０のような内部構成を持っている場合は、映像処理部８０１内部で行う。あるいは、図１２に示したように映像キャプチャ部１００１を映像処理部８０１の前段に設けてもよい。映像をキャプチャするための具体的な構成はどのようなものでもよい。
【００４９】
次に、映像処理部８０１ａ〜８０１ｎによる映像トリミング（Ｓ９０２）及び映像拡大・縮小処理（Ｓ９０３）を行う。ここではＳ７０９で設定された映像分割パラメータを用いて処理を行う。
【００５０】
Ｓ９０４では、更に映像処理部８０１が映像を圧縮する。ここで用いる圧縮方式はどのような方式も用いることができる。更には、Ｓ９０４での圧縮処理を省略しても構わない。最後に、無線ＬＡＮ端末８１０ａ〜８１０ｎが、圧縮された映像をパケット化したのち（Ｓ９０５）、端末側無線ＬＡＮ通信部１３１ａ〜１３１ｎへ送信する（Ｓ９０６）。
【００５１】
以上のように、本実施形態では、映像配信装置１００は、複数の表示端末１３０の各々について、当該表示端末１３０において表示される部分画像が表示対象の画像において占める位置を特定する位置情報を含む、ネットワーク識別子を取得する。そして、表示対象の画像を複数の部分画像に分割し、ネットワーク識別子により識別される複数の表示端末１３０の各々へ、当該ネットワーク識別子に含まれる位置情報に基づき対応する部分画像を送出する。具体的には、ネットワーク識別子に含まれる位置情報に基づき各表示端末に配信すべき部分画像を決定し、ネットワーク識別子により識別される各表示端末とネットワークを介して接続し、各表示端末に対して、決定された部分画像を送出する。このように、表示端末のネットワーク識別子として表示端末の位置情報を含むものを用いるため、ネットワークの設定において、繁雑な作業を行うことなく、表示端末と部分画像の象限（表示位置）との対応付けを行うことが可能となる。
【００５２】
なお、本実施形態では、映像配信装置と表示端末との間で画像を伝送するためのネットワークとして無線ＬＡＮネットワークを用いる場合を説明したが、ネットワークの種類はこれに限られない。有線ＬＡＮ等の有線ネットワークでもよいし、Ｂｌｕｅｔｏｏｔｈ（登録商標）、セルラ通信等の他の無線ネットワーク、または、インターネット等の様々なネットワークが混在したネットワークでもよい。
【００５３】
＜＜実施形態２＞＞
本発明の第二の実施形態例（実施形態２）について説明する。実施形態１では、ネットワーク識別子が、当該ネットワーク識別子により識別される表示端末において表示される部分画像が表示対象の画像において占める位置を特定する情報に対応付けられている構成について説明した。本実施形態では、ネットワーク識別子は、表示対象の画像の分割を規定する分割パラメータを更に含み、映像配信装置１００は、分割パラメータに基づき表示対象の画像を複数の部分画像に分割する構成を説明する。なお、本実施形態の説明に用いる図面に関し、前述した実施形態と同等の構成要素については同一の参照符号を付与して、詳細な説明を省略する。
【００５４】
（映像表示ステム）
図１３は本実施形態の構成を表わすブロック図である。同図において１１０３はサーバ側無線ＬＡＮ通信部であり、図１における１０３とは異なる機能を有する。すなわち、本実施形態のサーバ側無線ＬＡＮ通信部１１０３は、通信相手との接続確立及び通信維持に加えて、ネットワーク識別子からの情報取得も行う。
【００５５】
図１４は、サーバ側無線ＬＡＮ通信部１１０３の内部構成の一例を示すブロック図である。同図において、本実施形態の無線ＬＡＮ端末１２１０は、図１０における無線ＬＡＮ端末８１０が持つ機能に加えて、アクセスポイントの識別子をフィルタリングして接続可否を判断する機能を有する。また、識別子情報取得部１２０１は、無線ＬＡＮ端末１２１０から識別子を取得し、この識別子から付加情報を取り出す。
【００５６】
再び図１３に戻ると、マルチ表示システム１２０に含まれる表示端末１１３０の構成は実施形態１と異なっている。すなわち、表示端末１１３０は、図１の構成に加えて、識別子付加情報設定部１３４を含む。識別子付加情報設定部１３４は、ネットワーク識別子設定部１３２からネットワーク識別子を取得し、この識別子に任意の情報を付加して端末側無線ＬＡＮ通信部１３１へ出力する。なお、本実施形態では識別子付加情報設定部１３４が付加する情報は、映像分割パラメータを表す映像分割パラメータ記号である。
【００５７】
次に本実施形態の動作について説明する。全体動作は実施形態１と同様であり、図４のフローチャートで表わされる。実施形態１と異なる動作は、Ｓ２０２における表示端末側無線ＬＡＮの設定処理と、Ｓ２０４における映像配信装置とマルチ表示システムの接続処理である。次に、これらの処理に関する詳細を説明する。
【００５８】
（Ｓ２０２：表示端末側無線ＬＡＮの設定）
図１５は本実施形態におけるＳ２０２の処理を表わすフローチャートである。本実施形態では、実施形態１で参照した図７のＳ５０３の処理に代えて、Ｓ１３０１からＳ１３０３の処理が実行される。
【００５９】
本実施形態では、Ｓ５０２においてネットワーク識別子設定部１３２を用いてネットワーク識別子Ｘｎを入力した後で、更にＳ１３０１において識別子付加情報設定部１３４から映像分割パラメータ記号Ｐｍを入力する。Ｓ１３０２では、識別子付加情報設定部１３４が、ネットワーク識別子Ｘｎと映像分割パラメータ記号Ｐｍを結合して、新たなネットワーク識別子Ｙｎを生成する。映像分割パラメータには、表示対象の画像からの切り出し座標と、表示対象の画像から切り出した画像の線形変換情報とが含まれうる。そしてＳ１３０３では、識別子付加情報設定部１３４が、ネットワーク識別子Ｙｎを端末側無線ＬＡＮ通信部１３１へ設定する。これらの処理を全ての表示端末１１３０に対して行う（Ｓ５０１、Ｓ５０４）ことでＳ２０２の処理が完了する。
【００６０】
図１６は、識別子Ｘｎと映像分割パラメータ記号Ｐｍから新たなネットワーク識別子Ｙｎを生成する過程の一例を示す図である。同図において、１４０１はネットワーク識別子設定部１３２に設定された識別子Ｘｎである。ここでは図５の象限３０１に対応した識別子”Ａ１”を設定した場合を説明する。１４０２は、識別子付加情報設定部１３４に設定された映像分割パラメータ記号Ｐｍである。図１６の、”０＿０−１０００＿２０００−１００＿１００−８００＿１８００”は、映像ソースの矩形領域(０,０)−(１０００,２０００)を切り出して出力座標(１００,１００)−(８００,１８００)に張り付けよ、という意味を表わす。ＸｎとＰｍを組み合わせて、例えば、１４０３に示した新たなネットワーク識別子Ｙｎ=”Ａ１．０＿０−１０００＿２０００−１００＿１００−８００＿１８００”を生成する。
【００６１】
（Ｓ２０４：映像配信装置とマルチ表示システムの接続）
次に、図１７のフローチャートと図１４のブロック図を用いて、Ｓ２０４における処理の詳細について説明する。実施形態１との違いは、図９における処理Ｓ７０６からＳ７０８が、Ｓ１５０１からＳ１５０４に置き換わることである。ここで、識別子Ｘｎが”Ａ１”である場合を一例として説明する。Ｓ１５０１では、無線ＬＡＮ接続制御部１０２は、ある一つの無線ＬＡＮ端末１２１０ａを選択して識別子部分文字列Ｘｎ＝”Ａ１”を設定し、通信確立処理をキック（開始）する。これに応じて、無線ＬＡＮ端末１２１０ａは、識別子情報取得部１２０１ａに問い合わせて、接続対象となる表示端末の識別子候補Ｙｎ’を決定する。ここにＹｎ’はＸｎをプリフィックスとし、任意の付加情報をサフィックスとして持つ文字列である。例えば、Ｘｎ=”Ａ１”であれば、Ｙｎ’=”Ａ１．＊”（＊は任意の文字列を表す）と表すことができる。
【００６２】
次に、Ｓ１５０２では、無線ＬＡＮ端末１２１０ａが、識別子候補Ｙｎ’に一致するネットワーク識別子Ｙｎを持った端末側無線ＬＡＮ通信部１３１ａとの通信接続を確立する。具体的には、無線ＬＡＮプロトコルに沿って識別子候補Ｙｎ’と一致する識別子Ｙｎを有するアクセスポイントを探索し、通信を確立する。次に、Ｓ１５０３では、無線ＬＡＮ端末１２１０ａが通信を確立した表示端末１３０ａの識別子Ｙｎを識別子情報取得部１２０１ａへ送り、映像分割パラメータ記号Ｐｍを抽出して無線ＬＡＮ接続制御部１０２へ渡す。次に、Ｓ１５０４では、無線ＬＡＮ接続制御部１０２がＰｍから入力映像のトリミング指定位置とアフィン変換行列とのペアをパラメータとして決定する。
【００６３】
以上のように、本実施形態では、ネットワーク識別子が、部分画像の表示位置だけでなく、表示対象の画像の分割を規定する分割パラメータを含む。このため、映像配信装置１００は、分割パラメータを用いて映像ソース１１０の画像（映像）から分割画像を適切に分割・変形して各表示端末１３０に配信することができる。なお、本実施形態では識別子付加情報として映像の分割方法を指定する情報を用いる場合を示した。しかし、識別子付加情報として用いることのできる情報は任意であり、これに限られない。
【００６４】
以上のように、上記各実施形態においては、表示端末が自身の配置情報をネットワーク識別子に設定することで映像配信装置が複数の表示位置ごとの表示端末を自動的に判別できる。したがって、無線ＬＡＮを介したマルチ表示システムにおいて、設置位置に応じた分割画像を適切に配信するために煩雑な設定を行うことなく、配信側と表示側の接続を確実化し、配置状態に応じた映像の配信を間便化することができる。また、それぞれの表示端末が表示する映像を分割して個別送信することにより、送信帯域を減少させる効果がある。
【００６５】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
１００：映像配信装置、１０１：ネットワーク識別子保持部、１０２：無線ＬＡＮ接続制御部、１０３：サーバ側無線ＬＡＮ通信部、１０４：映像分割部、１１０：映像ソース、１２０：マルチ表示システム、１３０：表示端末、１３１：端末側無線ＬＡＮ通信部、１３２：ネットワーク識別子設定部、１３３：表示部
【図１】
2016134856.tif 000003
【図２】
2016134856.tif 000004
【図３】
2016134856.tif 000005
【図４】
2016134856.tif 000006
【図５】
2016134856.tif 000007
【図６】
2016134856.tif 000008
【図７】
2016134856.tif 000009
【図８】
2016134856.tif 000010
【図９】
2016134856.tif 000011
【図１０】
2016134856.tif 000012
【図１１】
2016134856.tif 000013
【図１２】
2016134856.tif 000014
【図１３】
2016134856.tif 000015
【図１４】
2016134856.tif 000016
【図１５】
2016134856.tif 000017
【図１６】
2016134856.tif 000018
【図１７】
2016134856.tif 000019